(57)【要約】【課題】  耕耘中に機体の耕耘方向を変更しやすくすることを課題とする。【解決手段】  前記耕耘爪（１）の上方を耕耘カバー（１１）で覆い、該耕耘カバー（１１）の左右中央部を前輪（１３）を支持する前輪ロッド（１４）を貫通する構成とし、該前輪ロッド（１４）には前輪ロッド（１４）を縦軸芯に回動させる回動部材（２１ａ，２１ｂ）を設け、該回動部材（２１ａ，２１ｂ）は操作ハンドル（８）に設ける把持部材（２３ａ，２３ｂ）と連結する構成とし、左右何れかの把持部材（２３ａ，２３ｂ）を把持すると回動部材（２１ａ，２１ｂ）が作動して前輪ロッド（１４）が縦軸芯に回動すると共に、前輪（１３）の向きが変更する構成とした。【選択図】  図２
2009082049.tif 000002
【特許請求の範囲】
【請求項１】
左右一対の走行車輪（１０）の前側には横軸心の耕耘軸（２）で回転駆動する多数の耕耘爪（１）を設け、該耕耘爪（１）の前側には一輪の前輪（１３）を設け、走行車輪（１０）の後部には操作ハンドル（８）を設けた耕耘機において、
前記耕耘爪（１）の上方を耕耘カバー（１１）で覆い、該耕耘カバー（１１）の左右中央部を前輪（１３）を支持する前輪ロッド（１４）を貫通する構成とし、該前輪ロッド（１４）には前輪ロッド（１４）を縦軸芯に回動させる回動部材（２１ａ，２１ｂ）を設け、該回動部材（２１ａ，２１ｂ）は操作ハンドル（８）に設ける把持部材（２３ａ，２３ｂ）と連結する構成とし、把持部材（２３ａ，２３ｂ）を把持すると回動部材（２１ａ，２１ｂ）が作動して前輪ロッド（１４）が縦軸芯に回動すると共に、前輪（１３）の向きが変更する構成としたことを特徴とする耕耘機。
【発明の詳細な説明】
【技術分野】
【０００１】
本発明は、耕耘機に関するものである。
【背景技術】
【０００２】
特許文献１には上下方向に高さ調節可能な前輪を備えたフロントロータリ式の耕耘機について記載されている。
【特許文献１】特開２００１−２５８３０２号公報
【発明の開示】
【発明が解決しようとする課題】
【０００３】
特許文献１においては、耕耘作業中に機体の耕耘方向を変更操作するときに前輪が邪魔になり変更操作がし難い。
本発明は、耕耘中に機体の耕耘方向を変更しやすくすることを課題とする。
【課題を解決するための手段】
【０００４】
本発明は、上記課題を解決するために以下のような技術的手段を講じた。
すなわち、請求項１記載の発明は、左右一対の走行車輪（１０）の前側には横軸心の耕耘軸（２）で回転駆動する多数の耕耘爪（１）を設け、該耕耘爪（１）の前側には一輪の前輪（１３）を設け、走行車輪（１０）の後部には操作ハンドル（８）を設けた耕耘機において、前記耕耘爪（１）の上方を耕耘カバー（１１）で覆い、該耕耘カバー（１１）の左右中央部を前輪（１３）を支持する前輪ロッド（１４）を貫通する構成とし、該前輪ロッド（１４）には前輪ロッド（１４）を縦軸芯に回動させる回動部材（２１ａ，２１ｂ）を設け、該回動部材（２１ａ，２１ｂ）は操作ハンドル（８）に設ける把持部材（２３ａ，２３ｂ）と連結する構成とし、左右何れかの把持部材（２３ａ，２３ｂ）を把持すると回動部材（２１ａ，２１ｂ）が作動して前輪ロッド（１４）が縦軸芯に回動すると共に、前輪（１３）の向きが変更する構成とした。
【０００５】
耕耘作業中に耕耘方向を変更したい場合には、把持部材（２３ａ，２３ｂ）を把持すると回動部材（２１ａ，２１ｂ）が作動して前輪ロッド（１４）が縦軸芯に回動すると共に、前輪（１３）の向きが変更する。
【発明の効果】
【０００６】
前輪の向きを容易に変更することができ、耕耘作業中に機体の耕耘方向を変更操作しやすくすることができる。
【発明を実施するための最良の形態】
【０００７】
本実施の形態の耕耘機について以下説明する。
左右一対の走行車輪１０より前側には圃場を耕耘する耕耘爪１を機体左右方向に横軸芯に設ける耕耘軸２に設定間隔で複数本設け、耕耘軸２の左右中央にはミッションケース３を設けており、ミッションケース３内部には各種伝動ギア（図示せず）を設け、ミッションケース３の側方にはエンジン５の動力をミッションケース３に伝動する伝動装置２７を覆う伝動カバー４を設けている。エンジン５とエンジン５の上方に設ける燃料タンク６は左右一対の走行車輪１０の間に設け、ミッションケース３には後方に向かって機体フレーム７の前端部を取り付け、機体フレーム７の後端部からは操作ハンドル８を設け、操作ハンドル８はその前端部を二股に分岐して左右の中途部８ａ，８ｂを形成し、該中途部８ａ，８ｂの後端部８ｃでつながっており、平面視環状に構成されている。
【０００８】
エンジン５の左右一側方にはエンジン５を始動するリコイルスタータ３０を設け、その紐３０ａを引く取っ手部３０ｂは左右一方の操作ハンドル８の途中部８ａの近傍に設ける取っ手支持部材３０ｃで支持されている。なお、２８は変速レバーである。
【０００９】
耕耘爪１の上方は耕耘カバー１１で覆い、耕耘カバー１１の左右中央部には切欠き部１２を設け、一輪の前輪１３を支持する前輪ロッド１４が切欠き部１２を貫通する構成である。前下がり傾斜状態で耕耘カバー１１を貫通する前輪ロッド１４はその下端部を前側に向かって屈曲部１４ａを形成し、当該屈曲部１４ａの先端に前輪１３を取り付ける。そして、傾斜部１４ｂには位置決め孔１４ｃを上下方向に設定間隔で複数個所設け、所望の位置決め穴１４ｃに係止部材１５を挿入することで前輪ロッド１４の位置決めを行い、前輪１３の高さ位置を設定する構成としている。
【００１０】
前輪１３は平面視で耕耘カバー１１の左右中央部でかつ、前側に位置している。することで、操作ハンドル８を把持する作業者が前輪１３を視認することができ、耕耘作業時の案内輪としての役割を果たしている。
【００１１】
次に前輪１３の方向を変更する構成について以下説明する。
前輪ロッド１４の傾斜部１４ｂに縦軸心に回動する回動軸２０を連結し、該回動軸２０の左右側方にはそれぞれにワイヤ２１ａ，２１ｂの一端を連結すると共に、一端を耕耘カバー１１側に固定したスプリング２２を取り付ける。そして、回動軸２０が縦軸芯に回動すると耕耘カバー１１の切欠き部１２内を前輪ロッド１４が回動軸２０を軸芯に回動する構成としている（図４参照）。回動軸２０は固定軸２５に嵌合して回動する構成で、固定軸２５は耕耘カバー１１側に固定軸支持部材２６で支持されている。
【００１２】
ワイヤ２１ａ，２１ｂの他端は操作ハンドル８の左右の途中部８ａ，８ｂに取り付けている把持部２３ａ，２３ｂにそれぞれ連結し、左右何れかの把持部２３ａ又は２３ｂを操作ハンドル８の中途部８ａ又は８ｂと共に把持するとワイヤ２１ａ又は２１ｂが作動して回動軸２０が把持した方向に回動する構成としている。そして回動軸２０が回動すると前述の通り前輪ロッド１４も回動し、前輪１３が図１に示すように左右方向に向きを変更する。
【００１３】
すなわち、耕耘中に耕耘方向を調節変更するときには作業者は操作ハンドル８を所望の左右方向に力を加えると共に把持部２３ａ又は２３ｂを把持すると機体の前側の向きが変更調節される。そのとき、前輪の向きも同様に変更するため機体の方向変更時に前輪が邪魔になり難くスムーズな耕耘方向の変更調節が行なえる。
【００１４】
把持部２３ａを離すと回動軸２０はスプリング２２の作用で初期位置に戻り、前輪１３は前向きの方向に戻る構成としている。
図５は前輪ロッド１４の屈曲部１４ａを機体後ろ向きになるように前後を入れ替えて取り付けたときのことを示す図で、例えば耕耘爪１の交換等のメンテナンスのときに機体の前側を高い位置にしたい場合に行なう。
【００１５】
図６は前輪ロッド１４の上下を入れ替えた場合を示すもので、前輪１３を使用しない場合のものである。
【図面の簡単な説明】
【００１６】
【図１】平面図
【図２】側面図
【図３】発明の要部を示す側面図
【図４】発明の要部を示す平面図
【図５】側面図
【図６】発明の一実施例を示す図
【符号の説明】
【００１７】
１０  走行車輪
２  耕耘軸
１  耕耘爪
１３  前輪
８  操作ハンドル
１１  耕耘カバー
１４  前輪ロッド
２１ａ  回動部材（ワイヤ）
２１ｂ  回動部材（ワイヤ）
２３ａ  把持部材
２３ｂ  把持部材
【図１】
2009082049.tif 000003
【図２】
2009082049.tif 000004
【図３】
2009082049.tif 000005
【図４】
2009082049.tif 000006
【図５】
2009082049.tif 000007
【図６】
2009082049.tif 000008